(57)【特許請求の範囲】
【請求項１】
荷台を持つ車両と、
前記荷台の後部にスペースが出来るように搭載された移動用変圧器装置本体と、
前記車両の背面側の前記移動用変圧器装置本体に設けられたケーブルコネクタと、
前記ケーブルコネクタの上部に取り付けられたケーブルサポートと、
前記ケーブルコネクタに接続されながら前記ケーブルサポートに巻き付けられて収納されるケーブルとを備えたことを特徴とする移動用変圧器装置。
【発明の詳細な説明】
【技術分野】
【０００１】
本発明は、既設の変圧器の交換，修理等の工事にあたり、無停電で工事を行なう場合に使用する移動用変圧器に係り、特に、柱上設置型変圧器の無停電工事に使用する移動用変圧器装置に関するものである。
【背景技術】
【０００２】
近年、コンピュータをはじめとする各種電子機器および家庭内における電子化された高性能な電化製品の普及に伴い、今日社会生活において電気に対する依存度は非常に高いものとなっており、工事停電や故障停電のみならず、一瞬の停電も許されない状況となっている。このような状況の中で、最近では、工事停電を避けるため、例えば、柱上変圧器の交換とか配電線の補修工事に際しては、移動用変圧器装置等を駆使して、需要家に対して無停電で電力供給を行いながら機器の交換や補修作業を可能とした、いわゆる無停電工法が採用されるようになった。
【０００３】
そして、無停電工法に使用する移動用変圧器装置としては、特許文献１に示されるように、車両の荷台に搭載される移動用変圧器装置本体と、本体の上部に設けられ、上面が開口した高圧ケーブル収納ケースと、このケースに収納され、ケースの側壁の孔、切込み等の空所を通り、一端が本体内の高圧機器に接続された高圧ケーブルとを備えるといったことが開示されている。
【０００４】
この特許文献１の例では、移動用変圧器装置本体の上部に高圧ケーブル収納ケースを設けているので、高圧ケーブルを収納するための収納ドラムを別途設ける必要がなく、装置が一体化されて小形になり、床面積の小さな荷台を用いることができるとともに、軽量化が図れるといったことが開示されている。
【０００５】
また、特許文献２には、車両の荷台の後部に支柱を設け、その支柱の上部にケーブルガイド用ローラを備え、荷台の後端部にケーブルが巻回されるドラムが備えられた移動用変電所が開示されている。
【先行技術文献】
【特許文献】
【０００６】
【特許文献１】特開平１０−２２４９２１号公報
【特許文献２】実開平２−１３３１０７号公報
【発明の概要】
【発明が解決しようとする課題】
【０００７】
特許文献１に示される移動用変圧器装置は、高圧ケーブル収納ケースが移動用変圧器装置本体の上部に設けられているので、高圧ケーブル収納ケースからのケーブルの取り出しや、工事終了後のケーブルの収納といった作業が非常に煩雑なものとなっていた。
【０００８】
より詳しく説明すると、ケーブルの取り出しは、ケーブルが捩れて収納されていると絡まったりして非常に取り出し難くなることがあった。そして、収納は取り出し時のことを考慮してケーブルを綺麗に束ねなければならず手間が掛かる作業となっていた。
【０００９】
また、高圧ケーブル収納ケースが移動用変圧器装置本体の上部に設けられているため、作業者が荷台に乗った状態でケーブルの上げ下げの作業をしなければならず、身体的負担を伴う作業となっていた。
【００１０】
また、特許文献２の例では、ケーブルの巻き取り作業は比較的容易に行えるが、ケーブルガイド用ローラやドラムといった設備を車両の荷台に設置しなければならず、車両の荷台といった限られたスペースを有効に活用することができないといった問題があった。また、ケーブルガイド用ローラやドラムといった設備を設置するためのコストが増加するといった問題もあった。
【００１１】
本発明は、上記の課題を解決するためになされたもので、ケーブルの収納作業が容易に行うことができる移動用変圧器装置を提供することを目的とする。
【課題を解決するための手段】
【００１２】
本発明の請求項１に記載の移動用変圧器装置は、荷台を持つ車両と、前記荷台の後部にスペースが出来るように搭載された移動用変圧器装置本体と、前記車両の背面側の前記移動用変圧器装置本体に設けられたケーブルコネクタと、前記ケーブルコネクタの上部に取り付けられたケーブルサポートと、前記ケーブルコネクタに接続されながら前記ケーブルサポートに巻き付けられて収納されるケーブルとを備えたことを特徴とする。
【発明の効果】
【００１３】
本発明の移動用変圧器装置によれば、移動用変圧器装置本体を車両の荷台の中央付近に搭載したので車両の荷台の前後部に作業スペースが確保でき、かつ移動用変圧器装置本体の後面に支持棒を備えたケーブルサポートを備えたので、作業者が車両後部の作業スペースに乗り、ケーブルサポートにケーブルを巻き付けることによってケーブルの収納を容易に行うことができる。そしてケーブルをケーブルサポートから取り出す時も、ケーブルが絡まったりすることがなく、容易にケーブルを取り出すことができる。
【００１４】
また、作業者の胸の高さの位置にケーブルサポートを設けたので楽な姿勢でケーブルの収納作業を行うことができ、作業者の身体的負担を減らすことが可能となった。
【００１５】
また、ケーブルサポートの内側に支持棒が設けられ、空間が形成されている。この空間にケーブルを束ねることで、車両の移動による振動でもケーブルがケーブルサポートから外れることがないといった利点がある。
【図面の簡単な説明】
【００１６】
【図１】図１は本発明の移動用変圧器装置の側面図である。
【図２】図２は本発明の移動用変圧器装置の背面図である。
【図３】図３は本発明のケーブルサポートの三面図であり、（ａ）は平面図、（ｂ）は正面図、（ｃ）は右側面図である。
【発明を実施するための形態】
【００１７】
以下、本発明の実施例について図１および図２を用いて説明する。
【００１８】
図１は本発明による移動用変圧器装置１の側面図であり、車両２の荷台３の中央付近に移動用変圧器装置本体４が搭載された状態を示している。このように搭載することで、荷台３には前部スペース５と後部スペース６を設けることができる。そして、移動用変圧器装置本体４には、変圧器，開閉器，監視制御装置等が収納されている。
【００１９】
図２は本発明による移動用変圧器装置１の背面図である。移動用変圧器装置本体４の後面（車両搭載状態での車両の背面側）には、高圧ケーブルコネクタ７および低圧ケーブルコネクタ８が設けられている。これらのコネクタには、それぞれ高圧ケーブル９および低圧ケーブル１０が接続されている。
【００２０】
高圧ケーブルコネクタ７および低圧ケーブルコネクタ８の下方にはケーブルブラケット１１が備えられている。このケーブルブラケット１１は高圧ケーブル９および低圧ケーブル１０を固定できる構造になっている。
【００２１】
高圧ケーブルコネクタ７および低圧ケーブルコネクタ８の上方に、ケーブルサポート１２がボルト（図示せず）によって取付けられている。このケーブルサポート１２は左右対称の形状のものがペアで取り付けられている。
【００２２】
ペアで取り付けられたケーブルサポート１２の外側付近とその下方に振れ止１３が合計４箇所設けられている。振れ止１３は丸棒や丸パイプをコの字状に曲げられたものが用いられている。
【００２３】
次に、図３を用いてケーブルサポート１２について説明する。ケーブルサポート１２は薄板の鉄板がコの字状に折り曲げられ、その内側に支持棒１４が２本取り付けられ、かつ支持棒１４はケーブルサポート１２に空間１５ができるように取付けられている。支持棒１４は、コの字状に折り曲げられた板のたわみを防止し、後述するケーブルを支持するために設けられている。
【００２４】
ケーブルサポート１２のコの字状に折り曲げられた板の角部はＲ加工が施され、概略扇形の形状となっている。このＲ加工は、ケーブルサポート１２が移動用変圧器装置本体４に取付けられたときに外側のＲが大きく、内側のＲが小さくなるように左右対称となっている。
【００２５】
次に、高圧ケーブル９を例として、ケーブルの収納方法について説明する。高圧ケーブルコネクタ７に接続された高圧ケーブル９は下方に下ろされ、ケーブルブラケット１１によって固定される。そこから、上方に引き上げられケーブルブラケット１１と高圧ケーブルコネクタ７の間に通され、さらに上方に引き上げられケーブルサポート１２に巻き付けられる。
【００２６】
そして、下方に下ろされ高圧ケーブル９は高圧ケーブルコネクタ７とケーブルブラケット１１との間に通される。この手順が繰り返され、高圧ケーブルコネクタ７とケーブルブラケット１１の間を中心にして８の字を描くようにケーブルが巻き付けられて収納される。低圧ケーブル１０も高圧ケーブル９と同様の手順でケーブルの収納が行われる。
【００２７】
また、ケーブルの巻き付け時には、それぞれのケーブルは振れ止１３の内側に入れられ収納される。このように収納することで、車両移動時でもケーブルが車両側面から外側に飛び出すことがなく、安全に車両を運行することができる。
【符号の説明】
【００２８】
１    移動用変圧器装置
２    車両
３    荷台
４    移動用変圧器装置本体
５    前部スペース
６    後部スペース
７    高圧ケーブルコネクタ
８    低圧ケーブルコネクタ
９    高圧ケーブル
１０  低圧ケーブル
１１  ケーブルブラケット
１２  ケーブルサポート
１３  振れ止
１４  支持棒
１５  空間
【図１】
0005781344.tif 000002
【図２】
0005781344.tif 000003
【図３】
0005781344.tif 000004